【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
車両に搭載されるナビゲーション装置と、
前記ナビゲーション装置に接続される第１の携帯通信端末と、
第２の携帯通信端末と、
前記第１及び第２の携帯通信端末に電気通信回線を通じて接続されるサーバとを備え、
前記ナビゲーション装置は、
前記車両の現在地を取得する現在地取得部と、
前記第１の携帯通信端末から送信される目的地を設定する目的地設定部と、
前記現在地取得部により取得される前記車両の現在地から前記目的地設定部により設定される前記目的地までのルートに関連する案内情報を導出するルート案内部と、
前記現在地取得部により取得される前記車両の現在地及び前記ルート案内部により導出される案内情報を前記第１の携帯通信端末に送信するナビゲーション送信部とを含み、
前記第１の携帯通信端末は、
前記ナビゲーション装置から送信される前記車両の現在地及び案内情報を前記サーバに送信し、前記サーバから送信される前記目的地を前記ナビゲーション装置に送信する第１送信部を含み、
前記第２の携帯通信端末は、
前記目的地を入力する目的地入力部と、
前記目的地入力部により入力される前記目的地を前記サーバに送信する第２送信部と、
前記サーバから送信される前記車両の現在地を地図上に表示する表示部と、
前記サーバから送信される案内情報を出力する案内出力部とを含み、
前記サーバは、
前記第１の携帯通信端末から送信される前記車両の現在地及び案内情報を前記第２の携帯通信端末に送信し、前記第２の携帯通信端末から送信される前記目的地を前記第１の携帯通信端末に送信するサーバ送信部を含む、位置情報共有システム。
【請求項２】
車両に搭載され、第１の携帯通信端末に接続されるナビゲーション装置であって、
前記車両の現在地を取得する現在地取得部と、
第２の携帯通信端末から前記第１の携帯通信端末を通じて送信される目的地を設定する目的地設定部と、
前記現在地取得部により取得される前記車両の現在地から前記目的地設定部により設定される目的地までのルートに関連する案内情報を導出するルート案内部と、
前記現在地取得部により取得される前記車両の現在地及び前記ルート案内部により導出される案内情報を前記第１の携帯通信端末を通じて前記第２の携帯通信端末に送信するナビゲーション送信部と、を含む、ナビゲーション装置。
【請求項３】
請求項２に記載のナビゲーション装置であって、さらに、
渋滞情報を取得する渋滞情報取得部を含み、
前記ルート案内部は、前記渋滞情報取得部により取得される渋滞情報に基づいて前記案内情報を導出する、ナビゲーション装置。
【請求項４】
請求項２に記載のナビゲーション装置であって、
前記案内情報は、前記ナビゲーション装置がルート案内を開始したことを示す情報、前記車両が前記目的地に到着する到着予定時刻を示す情報、前記車両が渋滞区間に入ったことを示す情報、前記車両が入った渋滞区間の長さを示す情報、前記車両が前記目的地の付近まで来たことを示す情報、及び前記ナビゲーション装置がルート案内を終了したことを示す情報のうち、少なくとも１つを含む、ナビゲーション装置。
【請求項５】
請求項２〜４のいずれか１項に記載のナビゲーション装置であって、さらに、
前記第１の携帯通信端末を通じて前記第２の携帯通信端末から送信されるメッセージを音声で再生する再生部を含む、ナビゲーション装置。
【請求項６】
車両に搭載され、第１の携帯通信端末に接続されるナビゲーション装置のコンピュータに、
前記車両の現在地を取得するステップと、
第２の携帯通信端末から前記第１の携帯通信端末を通じて送信される目的地を設定するステップと、
前記取得される前記車両の現在地から前記設定される目的地までのルートに関連する案内情報を導出するステップと、
前記取得される前記車両の現在地及び前記導出される案内情報を前記第１の携帯通信端末を通じて前記第２の携帯通信端末に送信するステップとを実行させるためのプログラム。
【請求項７】
車両に搭載されるナビゲーション装置に接続される他の携帯通信端末と通信可能な携帯通信端末であって、
目的地を入力する目的地入力部と、
前記目的地入力部により入力される目的地を前記他の携帯通信端末を通じて前記ナビゲーション装置に送信する第２送信部と、
前記ナビゲーション装置から前記他の携帯通信端末を通じて送信される車両の現在地を地図上に表示する表示部と、
前記ナビゲーション装置から前記他の携帯通信端末を通じて送信される案内情報であって車両の現在地から目的地までのルートに関連する案内情報を出力する案内出力部と、を含む、携帯通信端末。
【請求項８】
請求項７に記載の携帯通信端末であって、さらに、
前記目的地入力部により入力される目的地を変更する目的地変更部を含む、携帯通信端末。
【請求項９】
請求項７又は８に記載の携帯通信端末であって、
前記案内出力部は、前記案内情報を表示する、携帯通信端末。
【請求項１０】
車両に搭載されるナビゲーション装置に接続される他の携帯通信端末と通信可能な携帯通信端末のコンピュータに、
目的地を入力するステップと、
前記入力される目的地を前記他の携帯通信端末を通じて前記ナビゲーション装置に送信するステップと、
前記ナビゲーション装置から前記他の携帯通信端末を通じて送信される車両の現在地を地図上に表示するステップと、
前記ナビゲーション装置から前記他の携帯通信端末を通じて送信される案内情報であって車両の現在地から目的地までのルートに関連する案内情報を出力するステップと、を実行させるためのプログラム。
【手続補正２】
【補正対象書類名】明細書
【補正対象項目名】００４０
【補正方法】変更
【補正の内容】
【００４０】
図１０に示されるように、ルート案内を開始したこと及び車両２が目的地に到着する到着予定時刻を示す案内情報を出力する場合、たとえば「○○駅を目的地に設定して出発しました。１６：５０到着予定です。」などの案内情報５０をディスプレイ１１０に表示する。また、車両２が渋滞区間に入ったこと及び車両２が入った渋滞区間の長さを示す案内情報を出力する場合、たとえば「渋滞しています。渋滞区間は１０ｋｍです。１７：３０到着予定です。」などの案内情報５２をディスプレイ１１０に表示する。また、車両２が目的地付近まで来たことを示す案内情報を出力する場合、たとえば「まもなく目的地に到着します」などの案内情報５４をディスプレイ１１０に表示する。また、ルート案内を終了したことを示す案内情報を出力する場合、たとえば「目的地に到着しました」などの案内情報５６をディスプレイ１１０に表示する。
【手続補正３】
【補正対象書類名】明細書
【補正対象項目名】００４７
【補正方法】変更
【補正の内容】
【００４７】
図１０に示されるように、携帯通信端末３０のユーザが所望の目的地を設定した時に、たとえば「○○駅のロータリーで合流しましょう」などのメッセージ６０を入力すれば、ナビゲーション装置１０はこのメッセージ６０を音声で再生する。したがって、ドライバは運転中であってもユーザからのメッセージ６０を安全に理解することができる。
【手続補正４】
【補正対象書類名】明細書
【補正対象項目名】００５０
【補正方法】変更
【補正の内容】
【００５０】
１：位置情報共有システム
２：車両
３：電気通信回線
１０：ナビゲーション装置
２０，３０：携帯通信端末
４０：サーバ
５０，５２，５４，５６：案内情報
６０：メッセージ
【手続補正５】
【補正対象書類名】図面
【補正対象項目名】図１０
【補正方法】変更
【補正の内容】
【図１０】
2018200231.tif 000001